(57)【要約】【課題】構成が簡単で、電気的信頼性および機械的信頼性が高く、低コストの照明器具を提供する。【解決手段】直管蛍光灯１０と、前記直管蛍光灯の両端を支持するとともに給電する一対のソケット１３ａ、１３ｂとを有する照明器具であって、前記ソケット１３ａ、１３ｂのうちの片方に取り付けられ、口金ピン１４とソケット１３ａを導通するピン部２４と、ピン部２４の周囲を覆う絶縁部２３とを有する接続用ソケット２０を具備している。【選択図】図１
2010251208.tif 000002
【特許請求の範囲】
【請求項１】
直管蛍光灯と、
前記直管蛍光灯の両端を支持するとともに給電する一対のソケットとを有する照明器具であって、
前記ソケットのうちの片方に取り付けられ、口金ピンとソケットを導通するピン部と、ピン部の周囲を覆う絶縁部とを有する接続用ソケットを具備した照明器具。
【発明の詳細な説明】
【技術分野】
【０００１】
本発明は、照明器具に係り、特に照明器具の取り付け構造に関するものである。
【背景技術】
【０００２】
オフィスや工場等では、直管型蛍光灯が広く用いられている。近年では、省エネのために蛍光灯を交換する場合があるが、器具本体を残して回路やソケットなどを交換する試みがなされている。長さの等しい蛍光灯に交換する場合は問題がないが、サイズの異なる蛍光灯に交換する場合には既存のソケット台も交換しなければならずコスト高騰の原因となっている。
【０００３】
そこで、より短いサイズの蛍光灯を長いサイズの蛍光灯用灯具に装着できるように、１対のアダプタを有するサイズ調整式灯具が提案されている（特許文献１）。
【０００４】
また、さらに、アダプタ内に予熱回路を組み込んで点灯方式の異なるランプにも対応する構造の灯具も提案されている(特許文献２)。
【０００５】
また、直管型の蛍光灯の両端に取り付けられるように設計された一対のスリーブ状のアダプタと、このアダプタを電気的に接続するための配線用組み立て部品とから構成された照明装置も提案されている（特許文献３）。
【０００６】
また、既存の照明器具における照明管取り付けソケットに照明管の代わりに１対のソケットを取り付け、このソケットに人感センサおよび点灯回路を設けた照明装置も提案されている(特許文献４)。この装置では、ソケットに直管型の蛍光灯を装着し、自動的点灯制御を可能にする。
【０００７】
さらにまた、両口金型の直管蛍光灯用の照明器具に、アダプタを設け、片口金型の蛍光灯を装着できるようにした照明装置も提案されている（特許文献５）。
【先行技術文献】
【特許文献】
【０００８】
【特許文献１】実用新案登録  第３１２５８５３号
【特許文献２】実用新案登録  第３１２２７６２号
【特許文献３】特表２００３−５２４８６０号公報
【特許文献４】特開２００３−３０８７２６号公報
【特許文献５】特開平１−１２２５０４号公報
【発明の概要】
【発明が解決しようとする課題】
【０００９】
特許文献１は、明らかに長さの異なるランプを同一の照明器具で点灯するためのアダプタであるが、両側に１対のアダプタを設け、点灯制御をおこなっている。
また、特許文献２においても長さの異なるランプを同一の照明器具で点灯するためのアダプタが示されているが、ここでもランプの両側に１対のアダプタを設け、長さを調整して点灯制御をおこなっている。
さらにまた、特許文献３、４においても両側に１対のアダプタを設け、点灯方式を変更している。
【００１０】
いずれも、直管蛍光灯の両側にアダプタを設け、このアダプタを介して給電を行うという方法がとられている。
【００１１】
このため、良好な放電状態を得るためには、直管蛍光灯の両側に設けられるアダプタを負荷抵抗の等しいものとする必要があった。
また、装着の容易性から、装着後ソケットを回転する方式のソケットも提案されているが、構造が複雑で高価であり、両側に取り付けようとすると、コストの高騰が回避できないという問題があった。
【００１２】
また、特許文献５では、一端側にのみソケットをもうけた照明器具が提案されているが、これは、片口金型の蛍光灯であるため、もともと１端でしか使用しないソケットであり、両側のソケットにおける電気的特性および機械的特性をそろえるという思想はなかった。
【００１３】
また、多段階で長さの異なる蛍光灯が存在しているため、寸法差の小さい蛍光灯を用いる場合、両側における接続用ソケットの厚さを薄くしなければならず、ピン部の固定が十分ではなく、位置ずれや、それに伴う絶縁不良が生じ易いという問題があった。
本発明は、前記実情に鑑みてなされたもので、構成が簡単で、電気的信頼性および機械的信頼性が高く、低コストの照明器具を提供することを目的とする。
【課題を解決するための手段】
【００１４】
そこで本発明の照明器具は、直管蛍光灯と、前記直管蛍光灯の両端を支持するとともに給電する一対のソケットとを有する照明器具であって、前記ソケットのうちの片方に取り付けられ、口金ピンとソケットを導通するピン部と、ピン部の周囲を覆う絶縁部とを有する接続用ソケットを具備したことを特徴とする。
この構成によれば、片側のみで、サイズ差を補正するため、微差の補正の場合にもそのままのサイズ差で形成すればよい。このため、接続用ソケットの厚さを十分にとることができ、ピン部を深く挿入することができ、十分な強度の固定が可能となり、位置ずれや、それに伴う絶縁不良の生じにくい照明器具を提供することが可能となる。
【発明の効果】
【００１５】
本発明の照明器具によれば、直管蛍光灯の片側にのみ、直管蛍光灯の端部とソケットとの間を接続する接続用ソケットを有し、片側のみでサイズ差を補正するように構成されているため、微差の補正の場合にもそのままのサイズ差で形成すればよい。従って、接続用ソケットの厚さを十分にとることができ、ピン部を深く挿入することができ、十分な強度の固定が可能となり、位置ずれや、それに伴う絶縁不良の生じにくい照明器具を提供することが可能となる。
【図面の簡単な説明】
【００１６】
【図１】本発明の実施の形態１に係る照明器具の斜視図
【図２】同照明器具の断面概要図
【図３】同照明器具の接続用ソケットを示す要部拡大図
【図４】同照明器具の断面概要図
【図５】比較例の照明器具の断面概要図
【図６】比較例の照明器具の取り換えソケット台を示す図
【図７】同照明器具の断面概要図
【発明を実施するための形態】
【００１７】
以下、本発明の実施の形態に係る照明器具について、図面を用いて説明する。本発明の実施の形態に係る照明器具は、直管蛍光灯である。
【００１８】
（実施の形態１）
図１乃至４は、本発明の実施の形態に係る照明器具を示す図である。図１は同照明器具の斜視図、図２（ａ）および（ｂ）は同照明器具の要部断面図、図３（ａ）は同照明器具の接続用ソケットを示す断面図、（ｂ）は接続用ソケットに装着する直管蛍光灯、（ｃ）は接続用ソケットに直管蛍光灯を装着した状態を示す要部図、図４（ａ）および（ｂ）は同照明器具の他の使用例を示す要部断面図である。図２（ａ）は図１のＡ−Ａ断面図、図２（ｂ）は、図２（ａ）のＢ−Ｂ断面図である。
【００１９】
本実施の形態の照明器具は、図１および２に示すように、直管蛍光灯１０と、この直管蛍光灯１０の両端を支持するとともに給電する一対のソケット１３ａ、１３ｂとを有する照明器具であって、これらのソケット１３ａ、１３ｂのうちの片方のソケット１３ａに取り付けられた接続用ソケット２０を具備している。この接続用ソケット２０は、図３（ａ）乃至（ｃ）に示すように、口金部１２ａの口金ピン１４をソケット１３ａに導通するピン部２４と、ピン部２４の周囲の一部を覆う絶縁部２３とを有する。ここで２１は外装部、２２はピン受けである。
ここで直管蛍光灯１０は管長１１７８ｍｍのＷエコランプと称する省エネ型の蛍光灯である。直管蛍光灯１０が短い場合には接続用ソケット２０のピン受け２２に直管蛍光灯の口金ピン１４が挿入され電気的接続がなされるとともに、このピン受け２２に導通するピン部２４がソケット１３ａに挿入されて電気的接続が達成される。
【００２０】
ここでは、直管蛍光灯１０の両端に設けられた口金部１２ａ、１２ｂのうちの片方の口金部１２ａのみが接続用ソケット２０を介してソケット１３ａに接続される。もう一方の口金部１２ｂはソケット１３ｂに直接接続される。
一方、ここで直管蛍光灯１０として図４に示すように、管長１１９８ｍｍの蛍光灯を用いる場合には、図４（ａ）および（ｂ）に示すように、接続用ソケット２０なしに装着される。Ｔは天井板である。
【００２１】
ここで直管蛍光灯１０は反射板３０で囲まれ、反射光を効率よく導出できるように構成されている。そして、ソケット１３ａ、１３ｂは反射板３０に形成されたソケット取り付け穴４２にソケット取り付けネジ４４を挿通し締め付けることによって反射板に取り付けられている。３１は枠部であり、天井に埋め込む場合にはこの枠部が照明器具の取付けにおいて係止部となる。
【００２２】
この構成によれば、片側のみで、サイズ差を補正するため、微差の補正の場合にもそのままのサイズ差で形成すればよい。従って、接続用ソケットの厚さを十分にとることができ、ピン部を深く挿入することができ、十分な強度の固定が可能となり、位置ずれや、それに伴う絶縁不良の生じにくい照明器具を提供することが可能となる。
また反射板３０についても何ら変更を加えることなくそのまま使用することができる。
【００２３】
なお、比較例として、接続用ソケット２０を用いない例について説明する。
従来の照明器具を用いて管長１１９８ｍｍの蛍光灯を用いていたものを、Ｗエコランプに代えた場合、図５に示すように、ソケットの位置を移動し、反射板３０も変更し、Ｗエコランプを使用する。このため反射板３０に設けられるソケット用の取り付け穴の位置も変更する必要があるため反射板３０も変更しなければならない。
【００２４】
また他の、比較例として、接続用ソケット２０を用いることなく、図６および７に示すようにソケット台４０を用いた例について説明する。
従来の照明器具を用いて管長１１９８ｍｍの蛍光灯を用いていたものを、Ｗエコランプに代えた場合、図６に示すように、ソケットの位置を移動し、反射板３０も変更し、Ｗエコランプを使用する。このため反射板３０に設けられるソケット用の穴も変更する必要があるため反射板３０も変更しなければならない。４０はソケット台（本体）、４１は反射板取り付けネジ穴、４２Ｓはソケット台取り付けネジ穴、４３は反射板取り付けネジ、４４Ｓはソケット台取り付けネジである。
このように、本発明の接続用ソケットを用いない場合は、反射板を別途取り換えるととともにソケットの位置を変更するか、ソケット台を用いる必要があり、大がかりな変更となる。
【００２５】
また、前記実施の形態では、光源として直管蛍光灯を用いたが、蛍光灯に限定されることなく、ＬＥＤなどの複数の点光源が長手方向に配列された照明器具など、長手方向に光源が配列された照明器具であれば、蛍光灯に限定されることなく、放電灯、ＬＥＤ、有機ＥＬ素子など、いかなる光源にも適用可能である。
【符号の説明】
【００２６】
１０  直管蛍光灯
１１  蛍光灯本体
１２ａ、１２ｂ  口金部
１３ａ、１３ｂ  ソケット
１４  ピン
２０  接続用ソケット
２１  外装部
２２  ピン受け
２３  絶縁材
２４  ピン部
３０  反射板
３１  枠部
４０  反射板取り付けネジ穴
４２  ソケット取り付け穴
４２Ｓ  ソケット台取り付けネジ穴
４３  反射板取り付けネジ
４４  ソケット取り付けネジ
４４Ｓ  ソケット台取り付けネジ
【図１】
2010251208.tif 000003
【図２】
2010251208.tif 000004
【図３】
2010251208.tif 000005
【図４】
2010251208.tif 000006
【図５】
2010251208.tif 000007
【図６】
2010251208.tif 000008
【図７】
2010251208.tif 000009